(57)【要約】【課題】  手摺壁の内部に雨水が侵入するのを確実に防止するとともに、通気性を確保しつつ内部空間の湿気を効果的に排出して、結露を防止することができる手摺壁の防湿カバーおよびそれを用いた防湿構造を提供すること。【解決手段】  立壁板Ｗが対向立設して構成される手摺壁Ｐにおいて、これら両立壁板間に跨乗して天端部に沿って冠着固定される長手の蓋板であって、天板11の一端縁には軟質リップ片12をやや鋭角に垂設する一方、他端縁には略直角に屈曲する垂壁13を一体に延成して、この垂壁13の内側面には雨返し突起13ａを形成し、かつ、屈曲部近傍にはスペーサ部材14を所定間隔に配設するという技術的手段を採用した。【効果】  手摺壁の内部への雨水の侵入を確実に防止し、かつ、通気性を付与して、手摺壁内部の湿気を排出することができ、結露を効果的に防止することができる。【選択図】  図１
2007039905.tif 000002
【特許請求の範囲】
【請求項１】
立壁板Ｗが対向立設して構成される手摺壁Ｐにおいて、これら両立壁板間に跨乗して天端部に沿って冠着固定される長手の蓋板であって、
天板11の一端縁には軟質リップ片12がやや鋭角に垂設されている一方、他端縁には略直角に屈曲する垂壁13が一体に延成されており、この垂壁13の内側面には雨返し突起13ａが形成され、かつ、屈曲部近傍にはスペーサ部材14が所定間隔に配設されていることを特徴とする手摺壁の防湿カバー。
【請求項２】
天板11の上面略中央の峰線に沿ってセンタースリット11ａが形成されていることを特徴とする請求項１記載の手摺壁の防湿カバー。
【請求項３】
天板11の長手方向に上面略中央の峰線から両側縁方向に排水勾配が形成されていることを特徴とする請求項１または２記載の手摺壁の防湿カバー。
【請求項４】
天板11の裏面においてリブ11ｂが成形されていることを特徴とする請求項１〜３の何れか一つに記載の手摺壁の防湿カバー。
【請求項５】
プラスチック材料で作製されていることを特徴とする請求項１〜４の何れか一つに記載の手摺壁の防湿カバー。
【請求項６】
熱可塑性樹脂材料からなる天板11および垂壁13と、軟質樹脂からなる軟質リップ片12とが、二色押出機によって成形されていることを特徴とする請求項５記載の手摺壁の防湿カバー。
【請求項７】
立壁板Ｗが対向立設して構成される手摺壁Ｐにおいて、これら両立壁板の間に形成される中空内部における湿気の侵入を防止するための構造であって、
前記手摺壁Ｐの両立壁板間に跨乗して天端部に沿って冠着固定される長手の防湿カバー１と；この防湿カバー１の上面に設置されるブラケット２と；このブラケット２に取り付けて、外側から被着される笠木部材３とを具備して構成されており、
前記防湿カバー１の天板11の一端縁には、軟質リップ片12がやや鋭角に垂設されている一方、他端縁には略直角に屈曲する垂壁13が一体に延成されており、この垂壁13の内側面には雨返し突起13ａが形成され、かつ、屈曲部近傍にはスペーサ部材14が所定間隔に配設されており、
前記防湿カバー１を冠着したとき、前記スペーサ部材14が立壁板Ｗの上縁部側面と垂壁13との間に挟装される一方、対向する立壁板Ｗにおいては、軟質リップ片12が壁面に圧接状態に密着して、前記防湿カバー１の垂壁13と対向立壁板Ｗの壁面との間に外部に連通する通気路Ａが作出されるとともに、手摺壁内部における暖気が対流により上昇して当該通気路Ａから排気可能であって、かつ、前記軟質リップ片12および雨返し突起13ａによって、外部からの水滴の侵入を防止可能に構成したことを特徴とする手摺壁の防湿構造。
【発明の詳細な説明】
【技術分野】
【０００１】
本発明は、手摺壁内部の防湿技術の改良、更に詳しくは、軽量でかつ錆び付くことがない手摺壁の防湿カバー、および、手摺壁の内部への雨水の侵入を確実に防止することができ、かつ、通気性を確保しつつ内部の湿気を効果的に排出して、結露を防止することができる手摺壁の防湿構造に関するものである。
【背景技術】
【０００２】
周知のとおり、住宅などのバルコニーやベランダには、手摺壁（パラペット）が設置されており、この手摺壁は、立壁体の天端部分に笠木部材を被覆して構成されている。
【０００３】
ところで、かかる手摺壁の内部は中空になっているため、笠木部材の隙間から雨水が吹き込んだりして、内部に水分が直接侵入するおそれがあった。
【０００４】
従来、かかる水分の侵入を防止するために、手摺壁に対して防水構造を施したものがあり、実に多様なものが開示されている（例えば、特許文献１参照）。
【０００５】
一方、前記笠木部材を取り付けるためのブラケットなどにより天端部分を完全に塞ぎ、壁面の内部を気密状態にしたタイプのものも存在する。
【０００６】
しかしながら、僅かな隙間からでも壁面の内部には不可避的に湿気が侵入してしまうため、完全な気密性を確保するのは困難である。
【０００７】
しかも、不完全ながら天端部分を塞ぐ以上は、壁面の内部には対流が発生せず、侵入した湿気が籠もってしまう一方、内部空間には建物から暖房などの熱が伝導してくるため、外気との温度差によって結露が生じるという問題があった。
【０００８】
また、かかるブラケットなどのカバー部材は鋼板などの金属製を用いることが多く、前記のような多湿状態では、錆び付いて腐蝕し易く、特に、海岸に近い地域などでは、潮風によってすぐに錆び付いてしまうという問題がある。
【特許文献１】特開平１１−２９３８７１号公報（第３−５頁、図１）
【発明の開示】
【発明が解決しようとする課題】
【０００９】
本発明は、従来の手摺壁の構造に上記問題があったことに鑑みて為されたものであり、その目的とするところは、手摺壁の内部に雨水が侵入するのを確実に防止するとともに、通気性を確保しつつ内部空間の湿気を効果的に排出して、結露を防止することができる手摺壁の防湿カバーおよびそれを用いた防湿構造を提供することにある。
【課題を解決するための手段】
【００１０】
本発明者が上記技術的課題を解決するために採用した手段を、添付図面を参照して説明すれば、次のとおりである。
【００１１】
即ち、本発明は、立壁板Ｗが対向立設して構成される手摺壁Ｐにおいて、これら両立壁板間に跨乗して天端部に沿って冠着固定される長手の蓋板であって、
天板11の一端縁には軟質リップ片12をやや鋭角に垂設する一方、他端縁には略直角に屈曲する垂壁13を一体に延成して、この垂壁13の内側面には雨返し突起13ａを形成し、かつ、屈曲部近傍にはスペーサ部材14を所定間隔に配設するという技術的手段を採用することによって、手摺壁の防湿カバーを完成させた。
【００１２】
また、本発明は、上記課題を解決するために、必要に応じて上記手段に加え、天板11の上面略中央の峰線に沿ってセンタースリット11ａを形成するという技術的手段を採用することが可能である。
【００１３】
更にまた、本発明は、上記課題を解決するために、必要に応じて上記手段に加え、天板11の長手方向に上面略中央の峰線から両側縁方向に排水勾配を形成するという技術的手段を採用することが可能である。
【００１４】
更にまた、本発明は、上記課題を解決するために、必要に応じて上記手段に加え、天板11の裏面において長手方向にリブ11ｂを成形するという技術的手段を採用することが可能である。
【００１５】
更にまた、本発明は、上記課題を解決するために、必要に応じて上記手段に加え、プラスチック材料で作製するという技術的手段を採用することが可能である。
【００１６】
更にまた、本発明は、上記課題を解決するために、必要に応じて上記手段に加え、熱可塑性樹脂からなる天板11および垂壁13と、軟質樹脂からなる軟質リップ片12とを、二色押出機によって成形するという技術的手段を採用することが可能である。
【００１７】
また、本発明は、立壁板Ｗが対向立設して構成される手摺壁Ｐにおいて、これら両立壁板の間に形成される中空内部における湿気の侵入を防止するための構造であって、
前記手摺壁Ｐの両立壁板間に跨乗して天端部に沿って冠着固定される長手の防湿カバー１と；この防湿カバー１の上面に設置されるブラケット２と；このブラケット２に取り付けて、外側から被着される笠木部材３とを具備して構成されており、
前記防湿カバー１の天板11の一端縁には、軟質リップ片12がやや鋭角に垂設されている一方、他端縁には略直角に屈曲する垂壁13が一体に延成されており、この垂壁13の内側面には雨返し突起13ａが形成され、かつ、屈曲部近傍にはスペーサ部材14が所定間隔に配設されており、
前記防湿カバー１を冠着したとき、前記スペーサ部材14が立壁板Ｗの上縁部側面と垂壁13との間に挟装される一方、対向する立壁板Ｗにおいては、軟質リップ片12が壁面に圧接状態に密着して、前記防湿カバー１の垂壁13と対向立壁板Ｗの壁面との間に外部に連通する通気路Ａが作出されるとともに、手摺壁内部における暖気が対流により上昇して当該通気路Ａから排気可能であって、かつ、前記軟質リップ片12および雨返し突起13ａによって、外部からの水滴の侵入を防止可能に構成するという技術的手段を採用することによって、手摺壁の防湿構造を完成させた。
【発明の効果】
【００１８】
本発明にあっては、天板の一端縁には軟質リップ片をやや鋭角に垂設する一方、他端縁には略直角に屈曲する垂壁を一体に延成し、この垂壁の内側面には雨返し突起を形成し、かつ、屈曲部近傍にはスペーサ部材を所定間隔に配設して防湿カバーを構成したことによって、手摺壁の内部への雨水の侵入を確実に防止することができる。
【００１９】
このように、通気性を付与して、かつ、立壁体内部の対流を巧みに利用することによって、手摺壁内部の湿気を排出することができ、結露を効果的に防止することができる。
【００２０】
したがって、壁面内部における腐蝕やカビの発生を防止することができる。また、必要に応じて、カバー部材をプラスチック材料にすることにより、成形が容易であり、錆び付く心配もなく耐久性も高い。また、軟質リップ片を設けたことにより、多様な壁厚サイズの手摺壁に対応することができることから、非常に使い勝手が良く、産業上の利用価値は頗る大きいと云える。
【発明を実施するための最良の形態】
【００２１】
本発明を実施するための最良の形態を具体的に図示した図面に基づいて更に詳細に説明すると、次のとおりである。
【００２２】
『第１実施形態』
本発明の第１実施形態を図１から図４に基づいて説明する。まず、防湿カバー１の構造について説明する。なお、この防湿カバー１は、立壁板Ｗが対向立設して構成される手摺壁Ｐにおいて、これら両立壁板間に跨乗して天端部に沿って冠着固定される長手の蓋板である。
【００２３】
具体的形状は、天板11の一端縁には軟質リップ片12がやや鋭角に垂設されている一方、他端縁には略直角に屈曲する垂壁13が一体に延成されている（図１参照）。また、この垂壁13の内側面には雨返し突起13ａが形成され、かつ、屈曲部近傍にはスペーサ部材14が所定間隔に配設されている（図２参照）。
【００２４】
本実施形態では、当該防湿カバー１をプラスチック材料で作製し、また、具体的には、熱可塑性樹脂（例えば、ポリ塩化ビニル（ＰＶＣ））からなる天板11および垂壁13と、軟質樹脂（例えば、ゴム状弾性高分子）からなる軟質リップ片12とを、二色押出機によって同時に押出して成形することができる。
【００２５】
次に、上記のように構成した防湿カバー１を用いてなる、本発明における防湿構造について説明する。本実施形態における防湿構造は、立壁板Ｗが対向立設して構成される手摺壁Ｐにおいて、これら両立壁板の間に形成される中空内部における湿気の侵入を防止するためのものである。
【００２６】
まず、当該防湿構造の基本的構成としては、前記手摺壁Ｐの両立壁板間に跨乗して天端部に沿って冠着固定される長手の防湿カバー１と；この防湿カバー１の上面に設置されるブラケット２と；このブラケット２に取り付けて、外側から被着される笠木部材３とを具備している。
【００２７】
この際、このブラケット２は周知形状の笠木取付治具であって、また、笠木部材３は、例えば、ステンレスなどでリップ形状に作製され、前記ブラケット２の外側から被せて縁部を掛止することによって固定することができる。
【００２８】
そして、前記防湿カバー１は、前記スペーサ部材14が立壁板Ｗの上縁部側面と垂壁13との間に挟装される一方、対向する立壁板Ｗにおいては、軟質リップ片12が壁面に圧接状態に密着して冠着されている。
【００２９】
具体的な設置手順としては、初めに軟質リップ片12を弾性変形させながら壁面に圧接させ、そのまま垂壁13側を降ろして、対向する立壁板Ｗにスペーサ部材14を掛止させるようにして被せる（図３参照）。本実施形態では、軟質リップ片12を設けたことにより、この弾性変形によって多様な壁厚サイズの手摺壁に対応することができ、非常に使い勝手が良い。
【００３０】
このようにして、スペーサ部材14が垂壁13と立壁板Ｗとの間に所定の間隔をもつように挟装されることによって、この箇所において外部に連通する通気路Ａが作出される（図３参照）。
【００３１】
ここで、手摺壁内部においては、建物本体からの熱が伝導してくるために、壁面内部の空気が暖められる。したがって、かかる暖気は軽いために上昇し、当該通気路Ａから排気することができるのである（図４参照）。
【００３２】
また、前記軟質リップ片12を一方の立壁板Ｗと密着させて防水するとともに、垂壁13に設けた雨返し突起13ａをジグザグ（zigzag）形状としたことにより、外部からの水滴の侵入を防止でき、同時に、通気路Ａを通ずる内部からの排気（圧）を妨げることもない。
【００３３】
『第２実施形態』
次に、本発明の第２実施形態を図５に基づいて説明する。本実施形態では、防湿カバー１について、以下の付加機能を与えることができる。
【００３４】
本実施形態では、まず、天板11の上面略中央の峰線に沿ってセンタースリット11ａを形成することができる。こうすることにより、カバーのセンターラインが明確になるため、設置作業の際に位置決めを容易にすることができるとともに、このセンタースリット11ａに沿って排水を促進することもできる。
【００３５】
また、天板11の上面略中央の峰線から両側縁方向に排水勾配を形成することができ、カバーの天板上面に水分が溜まった場合でも速やかに排出することができる。
【００３６】
更にまた、天板11の裏面に長手方向にリブ11ｂを成形することができ、全長に亙り形成することにより、天板11の剛性を補強して、反りなどを防止することができる。
【００３７】
『第３実施形態』
次に、本発明の第３実施形態を図６に基づいて説明する。本実施形態では、防湿カバー１の天板11の使用材料として、プラスチック材料のほか、アルミニウムやステンレスなどを採用する場合において、軟質リップ片12を取り付ける際には、例えば、天板11の側端部11ｃにＴ字溝を成形し、かつ、軟質リップ片12の基端部12ａにＴ字突起を成形して嵌合機構を成形することができる。
【００３８】
このように構成することによって、気密性を確保しつつ、両部材を確実に結合することができる。なお、嵌合機構の形状は変更可能であるし、また、接着剤によって両部材を接着することもできる。
【００３９】
また、リブ11ｂを図示のように断続的に成形することによって、例えば、手摺壁Ｐの内部に間柱などが配設されている場合であっても、上面に換気スペースを作出することができるので、側端部11ｃ側の立壁板Ｗからの空気も適切に排出することができる。なお、この断間部は、切削や溶融、圧潰加工などにより成形することができる。
【００４０】
本発明は、概ね上記のように構成されるが、図示の実施形態に限定されるものでは決してなく、「特許請求の範囲」の記載内において種々の変更が可能であって、例えば、防湿カバー１の天板11と垂壁13の使用材料には、プラスチック材料やアルミニウム、ステンレスに限らず、その他の軽金属や石膏材などであっても良い。
【００４１】
また、プラスチック材料であっても、塩化ビニルに限らず、ポリプロピレン（ＰＰ）やポリエチレン（ＰＥ）、ポリエチレンテレフタレート（ＰＥＴ）などの熱可塑性樹脂を採用することができ、また、軟質リップ片12に使用するゴム状弾性高分子は天然ゴムや合成ゴムの何れであっても良く、これら何れのものも本発明の技術的範囲に属する。
【図面の簡単な説明】
【００４２】
【図１】本発明の第１実施形態の防湿カバーを表わす斜視図である。
【図２】本発明の第１実施形態の防湿カバーの裏面を表わす斜視図である。
【図３】本発明の第１実施形態の防湿構造を表わす説明断面図である。
【図４】本発明の第１実施形態の防湿構造を表わす説明断面図である。
【図５】本発明の第２実施形態の防湿カバーを表わす斜視図である。
【図６】本発明の第３実施形態の防湿カバーの裏面を表わす斜視図である。
【符号の説明】
【００４３】
１    防湿カバー
11    天板
11ａ  センタースリット
11ｂ  リブ
11ｃ  側端部
12    軟質リップ片
12ａ  基端部
13    垂壁
13ａ  雨返し突起
14    スペーサ部材
２    ブラケット
３    笠木部材
Ｐ    手摺壁
Ｗ    立壁板
Ａ    通気路
【図１】
2007039905.tif 000003
【図２】
2007039905.tif 000004
【図３】
2007039905.tif 000005
【図４】
2007039905.tif 000006
【図５】
2007039905.tif 000007
【図６】
2007039905.tif 000008